【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
電子メールを送信する電子メール送信手段と、前記電子メールに画像ファイルを添付する画像ファイル添付手段と、画像を読み取る読取手段と、画像を読み取るモードを指定するモード指定手段とを有する送信側の電子メール装置と、
電子メールを受信する電子メール受信手段と、電子メールの添付ファイルを取り出すファイル取り出し手段と、前記添付ファイルが画像ファイルか否かを判定する判定手段と、画像ファイルを処理する画像処理手段とを有する受信側の電子メール装置と、
を有する電子メールによる画像ファイル通信システムにおいて、
電子メールに添付されるべき画像ファイルの作成に必要な情報を付加して電子メールを送信する機能を設けたことを特徴とする電子メールによる画像通信システム。
【請求項２】
請求項１において、
前記画像ファイルに付加する情報として、画像ファイルのフォーマット中に画像のコメントを付加するコメント部を有し、前記コメント部に自機の画像処理能力の情報を付加して電子メールを送信することを特徴とする電子メールによる画像通信システム。
【請求項３】
請求項１において、
前記画像ファイルに付加する情報として、自機の画像処理能力の情報を付加して電子メールを送信することを特徴とする電子メールによる画像通信システム。
【請求項４】
請求項１において、
前記画像ファイルの送信を行う前に、送信する電子メールに添付する画像ファイルに、相手機における画像ファイルの処理能力を問い合わせる情報を付加して電子メールを送信することを特徴とする電子メールによる画像通信システム。
【請求項５】
請求項１において、
前記画像ファイルに付加する情報として、処理能力の問い合わせに応答する画像ファイルの処理能力の情報を付加して電子メールを送信することを特徴とする電子メールによる画像通信システム。
【請求項６】
請求項１において、
前記画像ファイルに付加する情報として、画像ファイルの処理の結果を知らせる情報を付加して電子メールを送信することを特徴とする電子メールによる画像通信システム。
【請求項７】
請求項６において、
前記画像ファイルに付加する情報として、前記画像ファイルの処理の結果を知らせる情報に加えて、自機の画像処理能力の情報を付加して電子メールを送信することを特徴とする電子メールによる画像通信システム。
【請求項８】
電子メールを送信する電子メール送信手段と、前記電子メールに画像ファイルを添付する画像ファイル添付手段と、画像を読み取る読取手段と、画像を読み取るモードを指定するモード指定手段とを有する送信側の電子メール装置において、
送信を希望する画像ファイルの送信を行う前に、送信する電子メールに添付する画像ファイルに、相手機における画像ファイルの処理能力を問い合わせる情報を付加して電子メールを送信することを特徴とする電子メール装置。
【請求項９】
電子メールを受信する電子メール受信手段と、電子メールの添付ファイルを取り出すファイル取り出し手段と、前記添付ファイルが画像ファイルか否かを判定する判定手段と、画像ファイルを処理する画像処理手段とを有する受信側の電子メール装置において、
前記電子メールに添付されるべき画像ファイルの処理に必要な情報を付加して電子メールを送信する機能を設けたことを特徴とする電子メール装置。
【請求項１０】
請求項９において、
前記画像ファイルに付加する情報として、画像ファイルのフォーマット中に画像のコメントを付加するコメント部を有し、前記コメント部に自機の画像処理能力の情報を付加して電子メールを送信することを特徴とする電子メール装置。
【請求項１１】
請求項９において、
前記画像ファイルに付加する情報として、自機の画像処理能力の情報を付加して電子メールを送信することを特徴とする電子メール装置。
【請求項１２】
請求項９において、
前記画像ファイルに付加された情報が受信側における画像ファイルの処理能力の問い合わせ情報である場合に、この問い合わせに応答する画像ファイルの処理能力の情報を画像ファイルに付加して電子メールを返送することを特徴とする電子メール装置。
【請求項１３】
請求項９において、
前記画像ファイルに付加された情報に基づいて画像ファイルの処理を行い、その画像ファイルの処理の結果を知らせる情報を画像ファイルに付加して電子メールを返送することを特徴とする電子メール装置。
【請求項１４】
請求項１３において、
前記画像ファイルに付加する情報として、前記画像ファイルの処理の結果を知らせる情報に加えて、自機の画像処理能力の情報を付加して電子メールを返送することを特徴とする電子メール装置。
【請求項１５】
電子メールを送信する電子メール送信手段と、前記電子メールに画像ファイルを添付する画像ファイル添付手段と、画像を読み取る読取手段と、画像を読み取るモードを指定するモード指定手段とを有する送信側の電子メール装置と、
電子メールを受信する電子メール受信手段と、電子メールの添付ファイルを取り出すファイル取り出し手段と、前記添付ファイルが画像ファイルか否かを判定する判定手段と、画像ファイルを処理する画像処理手段とを有する受信側の電子メール装置と、
を有する電子メールによる画像ファイル通信システムの制御方法において、
前記送信側で電子メールに添付されるべき画像ファイルの作成に必要な情報を付加して電子メールを送信するようにしたことを特徴とする電子メールによる画像通信システムの制御方法。
【請求項１６】
電子メールを送信する電子メール送信手段と、前記電子メールに画像ファイルを添付する画像ファイル添付手段と、画像を読み取る読取手段と、画像を読み取るモードを指定するモード指定手段とを有する送信側の電子メール装置と、
電子メールを受信する電子メール受信手段と、電子メールの添付ファイルを取り出すファイル取り出し手段と、前記添付ファイルが画像ファイルか否かを判定する判定手段と、画像ファイルを処理する画像処理手段とを有する受信側の電子メール装置と、
を有する電子メールによる画像ファイル通信システムのコンピュータで読取可能な制御プログラムを格納した記憶媒体において、
前記送信側で電子メールに添付されるべき画像ファイルの作成に必要な情報を付加して電子メールを送信するようにしたことを特徴とする電子メールによる画像通信システムのコンピュータで読取可能な制御プログラムを格納した記憶媒体。
【請求項１７】
画像ファイルが添付された電子メールの通信が可能な通信装置において、
自機が有する画像ファイルの処理能力の情報を含む電子メールデータを作成する作成手段と、
前記作成手段により作成された電子メールデータを送信する送信手段とを有することを特徴とする通信装置。
【請求項１８】
請求項１７において、
前記作成手段は前記処理能力を含む画像ファイルを生成し、前記画像ファイルは、コメント情報が設定可能なコメント領域を有し、前記コメント領域に前記処理能力の情報を設定することを特徴とする通信装置。
【請求項１９】
請求項１７において、
受信された電子メールに添付された画像ファイルが、相手機の画像ファイルの処理能力の情報を通知するためのものか否かを識別する識別手段と、
前記受信された電子メールに添付されていた画像ファイルが処理能力の情報を通知するためのものであった場合、前記画像ファイル中の前記処理能力の情報を抽出し、抽出した前記処理能力の情報をその相手先と対応して記憶する記憶手段とを有し、
前記記憶した相手先の処理能力の情報に基づいて、電子メールに添付する画像ファイルを作成可能としたことを特徴とする通信装置。
【請求項２０】
請求項１７において、
前記画像ファイルの送信を行う前に、送信する電子メールに添付する画像ファイルに、相手機における画像ファイルの処理能力を問い合わせる情報を付加して電子メールを送信することを特徴とする通信装置。
【請求項２１】
請求項１７において、
前記作成手段は、処理能力の問い合わせに応答する画像ファイルの処理能力の情報を付加することを特徴とする通信装置。
【請求項２２】
請求項１７において、
前記作成手段は、画像ファイルが添付された電子メールを受信した際、画像ファイルの処理の結果を知らせる情報を付加することを特徴とする通信装置。
【請求項２３】
請求項２２において、
前記作成手段は、前記画像ファイルの処理の結果を知らせる情報に加えて、自機の画像処理能力の情報を付加することを特徴とする通信装置。
【請求項２４】
画像ファイルが添付された電子メールの通信が可能な通信装置の制御方法において、
自機が有する画像ファイルの処理能力の情報を含む電子メールデータを作成する作成工程と、
前記作成工程により作成された電子メールデータを送信する送信工程とを有することを特徴とする通信装置の制御方法。
【請求項２５】
請求項２４において、
前記作成工程は前記処理能力を含む画像ファイルを作成し、前記画像ファイルは、コメント情報が設定可能なコメント領域を有し、前記コメント領域に前記処理能力の情報を設定することを特徴とする通信装置の制御方法。
【請求項２６】
請求項２４において、
受信された電子メールに添付された画像ファイルが、相手機の画像ファイルの処理能力の情報を通知するためのものか否かを識別する識別工程と、
前記受信された電子メールに添付されていた画像ファイルが処理能力の情報を通知するためのものであった場合、前記画像ファイル中の前記処理能力の情報を抽出し、抽出した前記処理能力の情報をその相手先と対応して記憶手段に記憶する記憶工程とを有し、
前記記憶した相手先の処理能力の情報に基づいて、電子メールに添付する画像ファイルを作成可能としたことを特徴とする通信装置の制御方法。
【請求項２７】
請求項２４において、
前記画像ファイルの送信を行う前に、送信する電子メールに添付する画像ファイルに、相手機における画像ファイルの処理能力を問い合わせる情報を付加して電子メールを送信することを特徴とする通信装置の制御方法。
【請求項２８】
請求項２４において、
前記作成工程は、処理能力の問い合わせに応答する画像ファイルの処理能力の情報を付加することを特徴とする通信装置の制御方法。
【請求項２９】
請求項２４において、
前記作成工程は、画像ファイルが添付された電子メールを受信した際、画像ファイルの処理の結果を知らせる情報を付加して電子メールを送信することを特徴とする通信装置の制御方法。
【請求項３０】
請求項２９において、
前記作成工程は、前記画像ファイルの処理の結果を知らせる情報に加えて、自機の画像処理能力の情報を付加することを特徴とする通信装置の制御方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
【課題を解決するための手段】
本発明は、電子メールを送信する電子メール送信手段と、前記電子メールに画像ファイルを添付する画像ファイル添付手段と、画像を読み取る読取手段と、画像を読み取るモードを指定するモード指定手段とを有する送信側の電子メール装置と、電子メールを受信する電子メール受信手段と、電子メールの添付ファイルを取り出すファイル取り出し手段と、前記添付ファイルが画像ファイルか否かを判定する判定手段と、画像ファイルを処理する画像処理手段とを有する受信側の電子メール装置とを有する電子メールによる画像ファイル通信システムにおいて、電子メールに添付されるべき画像ファイルの作成に必要な情報を付加して電子メールを送信する機能を設けたことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００６９
【補正方法】変更
【補正の内容】
【００６９】
【発明の効果】
以上のように本発明によれば、電子メールに添付されるべき画像ファイルの作成に必要な情報を付加して電子メールを送信する機能を設けたことにより、受信機の能力に応じて、処理が可能な画像ファイルを作成して送信することができ、円滑な電子メールの送信を実現できる。
【手続補正７】
【補正対象書類名】明細書
【補正対象項目名】００７０
【補正方法】変更
【補正の内容】
【００７０】
また、相手機の処理能力を問い合わせる情報を付加した電子メールを送信する機能を設けたことにより、予め相手機の能力を知らなくても画像ファイルを添付した電子メールを送信するに際して、相手機の能力外の画像ファイルを添付して送ってしまうような不都合を除去できる。
【手続補正８】
【補正対象書類名】明細書
【補正対象項目名】００７１
【補正方法】削除
【補正の内容】